(57)【要約】【課題】  一時的にＬＥＤヘッドユニットを交換した場合にも適切に光量補正を行うことができる画像形成装置を提供する。【解決手段】  発光ダイオードを有する露光装置２１１を備える画像形成装置１において、露光装置２１１は発光ダイオードの光量を補正するための情報を記憶する第１の記憶手段２１ａを備え、画像形成装置１は前記情報を記憶する複数の第２の記憶手段２１ｂ，２１ｃと、第１の記憶手段と複数の第２の記憶手段に記憶された各情報とを比較し、同一の情報が記憶されている記憶手段の数が最も多い情報を選出する多数決部１１２と、多数決手段１１２を作動させるか否かを制御する制御手段１１４と、多数決手段１１２が作動された場合には多数決手段１１２により選出された情報を使用し、多数決手段１１２が作動されなかった場合には第１の記憶部２１ａに記憶された情報を使用して発光ダイオードの光量の補正を行う補正部２１ｄとを備える。【選択図】    図１
2005212398.tif 000002
【特許請求の範囲】
【請求項１】
発光ダイオードを有する露光装置を備える画像形成装置において、
前記露光装置は前記発光ダイオードの光量を補正するための補正情報を記憶する第１の記憶手段を備え、
前記画像形成装置は前記補正情報を記憶する複数の第２の記憶手段と、
前記第１の記憶手段と前記複数の第２の記憶手段とに記憶された各補正情報を比較し、同一の補正情報が記憶されている前記第１及び第２の記憶手段の数が最も多い補正情報を選択する多数決手段と、
前記多数決手段を作動させるか否かを制御する制御手段と、
前記多数決手段が作動された場合には前記多数決手段により選択された前記第１及び第２の記憶手段が記憶している補正情報を使用して前記発光ダイオードの光量の補正を行い、前記多数決手段が作動されなかった場合には前記第１の記憶手段に記憶されている補正情報を使用して前記発光ダイオードの光量の補正を行う補正手段とを備えることを特徴とする画像形成装置。
【請求項２】
ユーザによる前記多数決手段を作動させるか否かの指示を受け付ける受付手段を更に備え、
前記制御手段は前記受付手段が前記多数決手段を作動させる旨の指示を受け付けた場合には前記多数決手段を作動させ、前記受付手段が前記多数決手段を作動させない旨の指示を受け付けた場合には前記多数決手段を作動させないことを特徴とする請求項１に記載の画像形成装置。
【請求項３】
前記画像形成装置は前記露光装置を複数備え、前記画像形成装置は前記第２の記憶手段を各露光装置に対して少なくとも２つずつ備えることを特徴とする請求項１又は２に記載の画像形成装置。
【請求項４】
前記受付手段は前記露光装置ごとに前記多数決手段を作動させるか否かの指示を受け付け、
前記制御手段は前記露光装置ごとに前記多数決手段を作動させるか否かを制御することを特徴とする請求項３に記載の画像形成装置。
【請求項５】
前記受付手段は前記多数決手段を作動させない旨の指示を受け付け、
前記制御手段は前記受付手段が前記作動させない旨の指示を受け付けた場合には前記画像形成装置が次に電源を再投入され立ち上げられるときにのみ前記多数決手段を作動せず、それ以降は前記多数決手段を作動することを特徴とする請求項３又は４に記載の画像形成装置。
【発明の詳細な説明】
【技術分野】
【０００１】
本発明は、発光ダイオードを有する露光装置を備える画像形成装置に関する。
【背景技術】
【０００２】
従来、プリンタ等の画像形成装置において露光装置に発光ダイオード（以下、ＬＥＤという。）を用いたＬＥＤアレイ方式と呼ばれるものがある。これは印刷幅分一列に並べたＬＥＤ（ＬＥＤヘッド）を発光させることにより感光体ドラムを露光するものである。ＬＥＤの光量には若干のばらつきがあるため、通常、ＬＥＤヘッドユニット（ＬＥＤヘッドを含む構成単位）に備えられた記憶媒体にＬＥＤの光量を補正するためのデータ（光量補正データ）を格納しておき、この光量補正データを使用してＬＥＤの光量を補正しながら（均一にしながら）画像形成を行う。万一のデータ破壊等に備え、上記の記憶媒体以外にＬＥＤヘッドユニット以外の場所に複数の記憶媒体を備え光量補正データを保存しているものもある。また、データ破壊を検知するために上記の複数の光量補正データを比較し、多数決により正しい光量補正データを選出する方法（多数決法）がある。
【０００３】
また従来、画像形成装置の故障等により形成画像の不良が発生した場合、その原因がＬＥＤヘッドユニットにあるのか、他の部分にあるのかを判別するために、他の画像形成装置とＬＥＤヘッドユニットを交換し印刷を行い原因部分の切り分けを行うことがある。
【発明の開示】
【発明が解決しようとする課題】
【０００４】
しかしながら、上記のようにＬＥＤヘッドユニットを他の画像形成装置と交換して不良原因の切り分けを行う場合に、上記の従来技術に示した多数決法を用いた場合、ＬＥＤヘッドユニット以外に備えられた光量補正データを保存した記憶媒体の数のほうがＬＥＤヘッドユニットに備えられた記憶媒体の数（通常１つ）より多いので、多数決によっては実際のＬＥＤヘッドユニットに対応した正しい補正データは選出されず、画像不良の原因の切り分けが正しく行えないという問題があった。
【０００５】
本発明は、上記の問題に鑑みて成されたもので、ＬＥＤヘッドユニットを一時的に交換した場合にも当該ＬＥＤヘッドに対して正しい補正を行うことができ得る画像形成装置を提供することを目的とする。
【課題を解決するための手段】
【０００６】
請求項１に係る画像形成装置は、発光ダイオードを有する露光装置を備える画像形成装置において、前記露光装置は前記発光ダイオードの光量を補正するための補正情報を記憶する第１の記憶手段を備え、前記画像形成装置は前記補正情報を記憶する複数の第２の記憶手段と、前記第１の記憶手段と前記複数の第２の記憶手段とに記憶された各補正情報を比較し、同一の補正情報が記憶されている前記第１及び第２の記憶手段の数が最も多い補正情報を選択する多数決手段と、前記多数決手段を作動させるか否かを制御する制御手段と、前記多数決手段が作動された場合には前記多数決手段により選択された前記第１及び第２の記憶手段が記憶している補正情報を使用して前記発光ダイオードの光量の補正を行い、前記多数決手段が作動されなかった場合には前記第１の記憶手段に記憶されている補正情報を使用して前記発光ダイオードの光量の補正を行う補正手段とを備えることを特徴とする。
【０００７】
請求項２に係る画像形成装置は、請求項１に記載の画像形成装置であって、ユーザによる前記多数決手段を作動させるか否かの指示を受け付ける受付手段を更に備え、前記制御手段は前記受付手段が前記多数決手段を作動させる旨の指示を受け付けた場合には前記多数決手段を作動させ、前記受付手段が前記多数決手段を作動させない旨の指示を受け付けた場合には前記多数決手段を作動させないことを特徴とする。
【０００８】
請求項３に係る画像形成装置は、請求項１又は２に記載の画像形成装置であって、前記画像形成装置は前記露光装置を複数備え、前記画像形成装置は前記第２の記憶手段を各露光装置に対して少なくとも２つずつ備えることを特徴とする。
【０００９】
請求項４に係る画像形成装置は、請求項３に記載の画像形成装置であって、前記受付手段は前記露光装置ごとに前記多数決手段を作動させるか否かの指示を受け付け、前記制御手段は前記露光装置ごとに前記多数決手段を作動させるか否かを制御することを特徴とする。
【００１０】
請求項５に係る画像形成装置は、請求項３又は４のいずれかに記載の画像形成装置であって、前記受付手段は前記多数決手段を作動させない旨の指示を受け付け、前記制御手段は前記受付手段が前記作動させない旨の指示を受け付けた場合には前記画像形成装置が次に電源を再投入され立ち上げられるときにのみ前記多数決手段を作動せず、それ以降は前記多数決手段を作動することを特徴とする。
【発明の効果】
【００１１】
請求項１に記載の発明によれば、露光装置に備えられた第１の記憶手段により当該露光装置が有する発光ダイオードの光量を補正するための情報（光量補正データ）が記憶され、画像形成装置に備えられた複数の第２の記憶手段により当該画像装置が備える露光装置が有する発光ダイオードの光量補正データが記憶され、制御手段により多数決手段を作動させるか否かの制御が行われ、多数決手段を作動させる場合には、多数決手段により露光装置が有する発光ダイオードの光量補正データを記憶する記憶手段（第１の記憶手段及び複数の第２の記憶手段）に記憶された補正データが比較され、同一の補正データが記憶されている記憶手段の数が最も多い補正データが選出され、選出された補正データを使用して補正手段により発光ダイオードの光量の補正が行われる。また、多数決手段を作動させない場合には、露光装置に備えられる第１の記憶手段に記憶された補正データを使用して補正手段により発光ダイオードの光量の補正が行われる。したがって、画像形成装置の不良個所を切り分けるために、他の画像形成装置とＬＥＤヘッドユニット（露光装置）を交換して画像形成装置を動作させる場合に、制御手段により多数決手段を作動しないように制御することにより適切な光量補正データを使用してＬＥＤ（発光ダイオード）ヘッドのＬＥＤの光量補正が行われるので、ＬＥＤヘッドユニットを一時的に交換した場合にも画像不良の原因個所の切り分けが正しく行われ、ＬＥＤヘッドに対して正しい補正を行うことができる。
【００１２】
請求項２に記載の発明によれば、受付手段により多数決手段を作動させるか否かの指示を受け付け、多数決手段を作動させる旨の指示を受け付けた場合には制御手段により多数決手段が作動され、多数決手段を作動させない旨の指示を受け付けた場合には制御手段により多数決手段が作動されないので、多数決手段を使用して補正に使用する補正データを決定するか、第１の記憶手段に記憶された補正データを補正に使用するかをユーザの意思により選択することができ、ＬＥＤヘッドユニットを一時的に交換した場合にも正しい補正を行うことができる。
【００１３】
請求項３に記載の発明によれば、請求項１に記載の画像形成装置において露光装置が複数備えられ、当該画像形成装置に補正データを記憶する記憶手段が各露光装置に対して少なくとも２つずつ備えられるので、例えば複数色用に複数の露光装置（ＬＥＤヘッド）を備える画像形成装置において、ＬＥＤヘッドユニットを一時的に交換した場合にもＬＥＤヘッドに対して正しい補正が行え、画像不良の原因個所の切り分けを正しく行うことができる。
【００１４】
請求項４に記載の発明によれば、受付手段により多数決手段を作動させるか否かの指示が各露光装置ごとに受け付けられ、制御手段により多数決手段を作動させるか否かの制御が各露光装置ごとに行われるので、複数の露光装置を備える画像形成装置において一部のＬＥＤヘッドユニットを一時的に交換した場合にもＬＥＤヘッドに対して正しい補正を行うことができ画像不良の原因個所の切り分けを正しく行うことができる。
【００１５】
請求項５に記載の発明によれば、受付手段により多数決手段を作動させない旨の指示が受け付けられ、多数決手段を作動させない旨の指示を受け付けた場合には当該画像形成装置が次に電源を投入され立ち上げられるときにだけ多数決手段が作動されず、それ以降は多数決手段が作動されるように制御手段により制御されるので、ＬＥＤヘッドユニットを一時的に交換する場合に正しい補正を行うことができると共に、ＬＥＤヘッドユニット交換後、画像形成装置を再立ち上げする前にＬＥＤヘッドユニットを元のものに戻す場合には多数決処理を作動させる旨を設定する手間を省くことができる。
【発明を実施するための最良の形態】
【００１６】
以下、本発明の一実施形態による画像形成装置としてのプリンタについて図面を参照しながら説明する。
【００１７】
まず図１、図２及び図３を使用してプリンタ１の機能構成について説明する。図１は、本発明の一実施形態による画像形成装置であるプリンタ１の機能構成を示すブロック図である。プリンタ１は本発明に係る構成部としてプロセス装置２、制御部１１、補正データ記憶部１２、画像メモリ１３、通信部１４、操作パネル１５、ＨＤＤ（ハードディスクドライブ）１６を備える。制御部１１は、プリント制御部１１１、多数決処理部１１２、多数決処理非実行設定部１１３、補正データ制御部１１４を備える。
【００１８】
プロセス装置２は画像メモリ１３に格納された画像データを記録紙にプリントするものである。図２は、プロセス装置２の構成概念、特に記憶媒体の構成を示すブロック図である。プリンタ１はイエロー、マゼンタ、シアン、ブラックを基本色として備えるプリンタである。このためプリンタ１は各基本色に対応する４つのＬＥＤヘッドユニット２１１，２２１，２３１，２４１並びにそれぞれに対応する４つのドラムユニット２１２，２２２，２３２，２４２及び４つの現像ユニット２１３，２２３，２３３，２４３を備える。ＬＥＤヘッドユニットとドラムユニットと現像ユニットの組をプロセスユニット２１，２２，２３，２４という。
【００１９】
ＬＥＤヘッドユニット２１１，２２１，２３１，２４１はＬＥＤヘッド（図略）、同プロセスユニット内のＬＥＤヘッドの各ＬＥＤに対する光量の補正を行う補正部２１ｄ，２２ｄ，２３ｄ，２４ｄ、及びプロセスユニット内のＬＥＤヘッドの各ＬＥＤに対する光量補正データを格納した記憶媒体２１ａ，２２ａ，２３ａ，２４ａを備える。ＬＥＤヘッドはドラムユニットの感光体を露光するための発光器であるＬＥＤをプリンタ１の解像度に合わせた個数分備えるものである。ドラムユニット２１２，２２２，２３２，２４２は感光体ドラムとプロセスユニット内のＬＥＤヘッドの各ＬＥＤに対する光量補正データを格納した記憶媒体２１ｂ，２２ｂ，２３ｂ，２４ｂを備える。現像ユニット２１３，２２３，２３３，２４３はトナー格納部等を含む現像装置とプロセスユニット内のＬＥＤヘッドの各ＬＥＤに対する光量補正データを格納した記憶媒体２１ｃ，２２ｃ，２３ｃ，２４ｃを備える。上記の光量補正データとはＬＥＤヘッドの各ＬＥＤの発光に関して基準光量からの隔たりを表す情報で、プリンタ１の製造時にＬＥＤヘッドの光量を計測することにより作成され、各記憶媒体に格納される。
【００２０】
プロセス装置２はプリント制御部１１１からプリント指示を受けた場合には画像メモリ１３から画像データを取得しその画像を記録紙にプリントする。このとき、補正部２１ｄ，２２ｄ，２３ｄ，２４ｄは露光プロセスにおける各ＬＥＤの発光に際し、各ＬＥＤヘッドに対する光量補正データを補正データ記憶部１２から取得し光量を補正する。
【００２１】
補正データ記憶部１２は、各ＬＥＤヘッドの光量補正に使用する光量補正データを記憶するものである。プロセス装置２の補正部２１ｄ，２２ｄ，２３ｄ，２４ｄは、画像形成の露光プロセスにおいて、対応する色の光量補正データを補正データ記憶部１２から読み出し、ＬＥＤの光量補正を行う。
【００２２】
画像メモリ１３は、プリンタ１においてプロセス装置２により記録紙にプリントされる画像データを一時的に格納するものである。通信部１４は、ネットワークインターフェース等の通信インターフェースを備え、ネットワーク等に接続されたＰＣ等からプリントデータを受信するものである。
【００２３】
操作パネル１５は、ユーザによるプリンタに対する指示等を入力するためのもので、スタートキーやテンキー等の操作キー及びタッチパネルディスプレイ等を備える。ユーザは操作キー及びタッチパネルディスプレイに表示されたボタン等を押下することによりプリンタ１に対する指示等を入力する。また、プリンタ１からのメッセージ等の出力はタッチパネルディスプレイに表示される。本実施形態において操作パネル１５は特に、光量補正データの多数決処理を行わないＬＥＤヘッドをユーザが設定するために使用される。
【００２４】
光量補正データの多数決処理を行わないＬＥＤヘッドの指定は例えば次に示すように行う。まず、操作パネル１５を使用してプリンタ１をメンテナンスモードに切り替える。次に操作パネル上に表示されたメンテナンスモード画面においてメンテナンス項目一覧から例えば「光量補正データの多数決処理の非実行」を指定する。次に表示されたＬＥＤヘッド指定画面において目的のＬＥＤヘッド（イエロー（Ｙ）／マゼンタ（Ｍ）／シアン（Ｃ）／ブラック（Ｋ））を指定し、「ＯＫ」キーを押下する。操作パネル１５は「ＯＫ」キーの押下を受け付けた場合に多数決処理非実行設定部１１３に対してＬＥＤヘッドの識別情報（例えばＹ（イエロー）／Ｍ（マゼンタ）／Ｃ（シアン）／Ｋ（ブラック））を送信する。
【００２５】
ＨＤＤ１６は、多数決処理実行情報３を格納する不揮発性の記憶装置である。図３は多数決処理実行情報３の例を示す図である。多数決処理実行情報３は各ＬＥＤヘッドに対する光量補正データの決定に多数決処理を使用するか否かを示す情報で、ヘッドＩＤ欄３１にはＬＥＤヘッドを識別するための情報Ｙ（イエロー），Ｍ（マゼンタ），Ｃ（シアン），Ｋ（ブラック）が格納され、実行／非実行種別欄３２には光量補正データの選出に関して多数決処理を実行するＬＥＤヘッドの行には例えば「○」、多数決処理を実行しないＬＥＤヘッドの行には例えば「×」が格納される。
【００２６】
多数決処理非実行設定部１１３は、操作パネル１５からＬＥＤヘッド識別情報を受信すると、ＨＤＤ１６に格納された多数決処理実行情報３に対してこれを反映させる。具体的には例えばＬＥＤヘッド識別情報として「Ｍ」を受信した場合には図３に示す多数決処理実行情報３のヘッドＩＤ欄３１が「Ｍ」の行３４の実行／非実行種別欄３２に「×」を書き込む。多数決処理実行情報３には通常、デフォルト値として全てのＬＥＤヘッドに対して多数決処理を実行する旨（図３の多数決処理実行情報３においては「○」）が格納されている。
【００２７】
補正データ制御部１１４はプリンタ１に電源が投入された場合の初期処理としてＨＤＤ１６に格納された多数決処理実行情報３をチェックして、各ＬＥＤヘッドに対する光量補正データ（実際に光量補正に使用するデータ）を補正データ記憶部１２に格納する制御を行う。具体的には、多数決処理実行情報３において多数決処理を実行する旨が記されたＬＥＤヘッド（例えば図３で実行／非実行種別欄３２が「○」の行のヘッドＩＤ欄３１に示されるＬＥＤヘッド。図３においてはイエロー、シアン，ブラックのＬＥＤヘッド）に関し、多数決処理部１１２にＬＥＤヘッド識別情報を送信することにより多数決処理を行うことを指示する。多数決処理実行情報３において多数決処理を実行しない旨が記されたＬＥＤヘッド（例えば図３で実行／非実行種別欄３２が「×」の行のヘッドＩＤ欄３１に示されるＬＥＤヘッド。例えば図３においてはＭ（マゼンタ）のＬＥＤヘッド）に関し、当該ＬＥＤヘッドユニットの記憶媒体２１ａ，２２ａ，２３ａ，２４ａに格納された光量補正データを補正データ記憶部１２に格納するよう制御する。
【００２８】
また、補正データ制御部１１４は補正データ記憶部１２に全ＬＥＤヘッドの光量補正データを格納し終わった後、多数決処理実効情報３の実行／非実行種別欄３２を全て「○」にする。これにより、プリンタ１の次の立ち上げ時には全てのＬＥＤヘッドユニットに対して多数決処理が行われることとなる。
【００２９】
多数決処理部１１２はプロセス装置２の各ＬＥＤヘッドに対する３つの記憶媒体から光量補正データを取得し、これらを比較し一致するものがある場合（２つ以上の記憶媒体の補正データが同一の場合）にはこの光量補正データを補正データ記憶部１２に送信し、補正データ記憶部１２はこれを記憶する。一致するものが無い場合（３つの補正データが全て異なる場合）にはＬＥＤヘッドユニットの記憶媒体２１ａ，２２ａ，２３ａ，２４ａに格納された光量補正データを補正データ記憶部１２に送信し、補正データ記憶部１２はこれを記憶する。
【００３０】
プリント制御部１１１は、ＰＣ等から受信したプリントデータをプリントする制御を行うもので、通信部１４を介してＰＣ等からプリントデータを受信したことを検知し、これをプリント用のデータ形式に変換して画像メモリ１３に格納した後、プロセス装置２に対してプリントを行う旨を指示する。
【００３１】
図４はプリンタ１に対する多数決処理を行わない旨の設定に関する処理の流れを示すフローチャートである。
【００３２】
ステップＳ１では、操作パネル１５は、ユーザが操作パネル１５に対して行った多数決処理を行わない旨の指示（多数決処理非実行指示）の入力を受け付けたか否かをチェックする。多数決処理非実行指示の入力が受け付けられていない場合には（ステップＳ１でＮＯ）、多数決処理非実行指示が受け付けられるまでチェックを繰り返す。多数決処理非実行指示を受け付けた場合には（ステップＳ１でＹＥＳ）、ステップＳ３へ進む。操作パネル１５は多数決処理非実行指示以外の入力を受け付けた場合にはそれに対する処理を行う（図略）。ステップＳ３では、操作パネルは多数決処理非実行指示として受け付けた多数決処理を行わないＬＥＤヘッドの種別情報（例えばＹ，Ｍ，Ｃ，Ｋ）を多数決処理非実行設定部１１３に送信する。ステップＳ５では、多数決処理非実行設定部１１３はＨＤＤ１６に格納された多数決処理実行情報３のヘッドＩＤ欄３１をチェックし操作パネルから受信したＬＥＤヘッド種別情報に一致する行の実行／非実行種別欄３２に非実行設定として「×」を格納する。
【００３３】
図５はプリンタ１の多数決処理の実行／非実行に関する処理の流れを示すフローチャートである。この処理はプリンタ１の立ち上げ時の初期処理として行われる。
【００３４】
ステップＳ１１では、補正データ制御部１１４はＨＤＤ１６に格納されている多数決処理実行情報３のイエロー色のＬＥＤヘッドに対する多数決処理の実行／非実行種別３２をチェックし実行／非実行種別３２が「○」であるならば（ステップＳ１１でＹＥＳ）、ステップＳ１３へ進む。ステップＳ１３では、補正データ制御部１１４はイエロー色のＬＥＤヘッドに対する多数決処理を行うよう多数決処理部１１２に指示する。多数決処理部１１２はこれを受け、プロセス装置２内にある、イエロー色のＬＥＤヘッドに対する３つの記憶媒体２１ａ，２１ｂ，２１ｃに格納されている光量補正データを取得しこれらを比較し２つ以上の記憶媒体で同じものが格納されていれば、その光量補正データを補正データ記憶部１２にイエロー色のＬＥＤヘッドに対する光量補正データとして格納する。３つの記憶媒体２１ａ，２１ｂ，２１ｃに格納されている光量補正データが全て異なるものである場合には、多数決処理部１１２は例えばイエロー色のＬＥＤヘッドユニット２１１の記憶媒体２１ａに格納された光量補正データを補正データ記憶部１２に格納する。
【００３５】
ステップＳ１１の分岐においてイエロー色のＬＥＤヘッドに対する多数決処理の実行／非実行種別３２が「×」である場合には（ステップＳ１１でＮＯ）、ステップＳ１５へ進む。ステップＳ１５では、補正データ制御部１１４はイエロー色のＬＥＤヘッドユニット２１１の記憶媒体２１ａに格納された光量補正データを補正データ記憶部１２にイエロー色のＬＥＤヘッドに対する光量補正データとして格納する。
【００３６】
ステップＳ１７では、補正データ制御部１１４はＨＤＤ１６に格納されている多数決処理実行情報３のマゼンタ色のＬＥＤヘッドに対する多数決処理の実行／非実行種別３２をチェックし実行／非実行種別３２が「○」であるならば（ステップＳ１７でＹＥＳ）、ステップＳ１９へ進む。ステップＳ１９では、補正データ制御部１１４はマゼンタ色のＬＥＤヘッドに対する多数決処理を行うよう多数決処理部１１２に指示する。多数決処理部１１２はこれを受け、プロセス装置２内にある、マゼンタ色のＬＥＤヘッドに対する３つの記憶媒体２２ａ，２２ｂ，２２ｃに格納されている光量補正データを取得しこれらを比較し２つ以上の記憶媒体で同じものが格納されていれば、その光量補正データを補正データ記憶部１２にマゼンタ色のＬＥＤヘッドに対する光量補正データとして格納する。３つの記憶媒体２２ａ，２２ｂ，２２ｃに格納されている光量補正データが全て異なるものである場合には、多数決処理部１１２は例えばマゼンタ色のＬＥＤヘッドユニット２２１の記憶媒体２２ａに格納された光量補正データを補正データ記憶部１２に格納する。
【００３７】
ステップＳ１７の分岐においてマゼンタ色のＬＥＤヘッドに対する多数決処理の実行／非実行種別３２が「×」である場合には（ステップＳ１７でＮＯ）、ステップＳ２１へ進む。ステップＳ２１では、補正データ制御部１１４はマゼンタ色のＬＥＤヘッドユニット２２１の記憶媒体２２ａに格納された光量補正データを補正データ記憶部１２にマゼンタ色のＬＥＤヘッドに対する光量補正データとして格納する。
【００３８】
ステップＳ２３では、補正データ制御部１１４はＨＤＤ１６に格納されている多数決処理実行情報３のシアン色のＬＥＤヘッドに対する多数決処理の実行／非実行種別３２をチェックし実行／非実行種別３２が「○」であるならば（ステップＳ２３でＹＥＳ）、ステップＳ２５へ進む。ステップＳ２５では、補正データ制御部１１４はシアン色のＬＥＤヘッドに対する多数決処理を行うよう多数決処理部１１２に指示する。多数決処理部１１２はこれを受け、プロセス装置２内にある、シアン色のＬＥＤヘッドに対する３つの記憶媒体２３ａ，２３ｂ，２３ｃに格納されている光量補正データを取得しこれらを比較し２つ以上の記憶媒体で同じものが格納されていれば、その光量補正データを補正データ記憶部１２にシアン色のＬＥＤヘッドに対する光量補正データとして格納する。３つの記憶媒体２３ａ，２３ｂ，２３ｃに格納されている光量補正データが全て異なるものである場合には、多数決処理部１１２は例えばシアン色のＬＥＤヘッドユニット２３１の記憶媒体２３ａに格納された光量補正データを補正データ記憶部１２に格納する。
【００３９】
ステップＳ２３の分岐においてシアン色のＬＥＤヘッドに対する多数決処理の実行／非実行種別３２が「×」である場合には（ステップＳ２３でＮＯ）、ステップＳ２７へ進む。ステップＳ２７では、補正データ制御部１１４はシアン色のＬＥＤヘッドユニット２３１の記憶媒体２３ａに格納された光量補正データを補正データ記憶部１２にシアン色のＬＥＤヘッドに対する光量補正データとして格納する。
【００４０】
ステップＳ２９では、補正データ制御部１１４はＨＤＤ１６に格納されている多数決処理実行情報３のブラック色のＬＥＤヘッドに対する多数決処理の実行／非実行種別３２をチェックし実行／非実行種別３２が「○」であるならば（ステップＳ２９でＹＥＳ）、ステップＳ３１へ進む。ステップＳ３１では、補正データ制御部１１４はブラック色のＬＥＤヘッドに対する多数決処理を行うよう多数決処理部１１２に指示する。多数決処理部１１２はこれを受け、プロセス装置２内にある、ブラック色のＬＥＤヘッドに対する３つの記憶媒体２４ａ，２４ｂ，２４ｃに格納されている光量補正データ１２を取得しこれらを比較し２つ以上の記憶媒体で同じものが格納されていれば、その光量補正データを補正データ記憶部１２にブラック色のＬＥＤヘッドに対する光量補正データとして格納する。３つの記憶媒体２４ａ，２４ｂ，２４ｃに格納されている光量補正データが全て異なるものである場合には、多数決処理部１１２はブラック色のＬＥＤヘッドユニット２４１の記憶媒体２４ａに格納された光量補正データを補正データ記憶部１２に格納する。
【００４１】
ステップＳ２９の分岐においてブラック色のＬＥＤヘッドに対する多数決処理の実行／非実行種別３２が「×」である場合には（ステップＳ２９でＮＯ）、ステップＳ３３へ進む。ステップＳ３３では、補正データ制御部１１４はブラック色のＬＥＤヘッドユニット２４１の記憶媒体２４ａに格納された光量補正データを補正データ記憶部１２にブラック色のＬＥＤヘッドに対する光量補正データとして格納する。
【００４２】
ステップＳ３５では、補正データ制御部１１４はＨＤＤ１６に格納された多数決処理実行情報３をデフォルト値に戻す。具体的には例えば、全てのＬＥＤヘッドに対して多数決処理を実行する旨（「○」）を設定する。
【００４３】
上記のフローチャートに示す処理においてはイエロー、マゼンタ、シアン、ブラックの順に処理を行ったが、これは必ずしもこの色の順で処理を行う必要はなく、色の順番は特に問わない。
【００４４】
図６は、プリンタ１におけるプリント処理時の制御の流れを示すフローチャートである。ステップＳ４１では、プリント制御部１１１は通信部１４がプリントデータを受信したか否かを受信するまでチェックし（ステップＳ４１でＮＯ）、プリントデータを受信した場合には（ステップＳ４１でＹＥＳ）、ステップＳ４３へ進む。ステップＳ４３では、プリント制御部１１１は通信部１４が受信したプリントデータをプリント用のデータ形式に変換し画像メモリ１３に格納する。ステップＳ４５では、プリント制御部１１１はプロセス装置２を作動させる。プロセス装置２は画像メモリ１３からプリントする画像データを読み込み、補正データ記憶部１２から光量補正データを読み込むことによりＬＥＤの光量を補正して画像を記録紙にプリントする。
【００４５】
このように本実施形態によれば、各色に対応したプロセスユニット内のＬＥＤヘッドユニット、ドラムユニット及び現像ユニットそれぞれに備えられた記憶媒体にそのプロセスユニットのＬＥＤヘッドに対する光量補正データが記憶され、ユーザにより操作パネルを使用して特定のＬＥＤヘッドに対する光量補正データの選出に多数決処理を行わない旨の指示が設定された場合には、プリンタの次回立ち上げ時には指定されたＬＥＤヘッドに対する多数決処理は行われないので、多数決処理を行わずＬＥＤヘッドユニットに備えられた記憶媒体に記憶された光量補正データを使用するようにできる。従って、例えば画像形成の不具合が起こった場合等で故障個所等の切り分けを行いたいときにＬＥＤヘッドユニットを他の正常なプリンタのものと交換し動作チェックを行うような場合にも適切な光量補正データを使用するようにすることができる。
【００４６】
なお、本発明は、上記実施形態のものに限定されるものではなく、以下に述べる態様を採用することができる。例えば本実施形態においては、画像形成装置としてプリンタにおける例を説明したが、ＬＥＤを使用した露光装置を使用する画像形成装置であれば、例えば、複写機、ファクシミリ装置等何でもよい。また、本実施形態においては，１つのＬＥＤヘッドに対して光量補正データを記憶する記憶媒体を３つずつ備えたが，これは３つ以上であればいくつであってもよい。また、本実施形態においては，３つの記憶媒体をＬＥＤヘッドユニット、ドラムユニット及び現像ユニットに備えたがこれに限定されるものではない。１つはＬＥＤヘッドユニットに備えられる必要があるがその他の記憶媒体が備えられる場所は特に限定されない。また、画像形成装置本体が使用するＲＡＭ等の一部を使用するようにしてもよい。
【００４７】
本実施形態においては、多数決処理を実行しない旨の指示を操作パネルを使用して行うようにしたが、これは他の方法によるものであってもよい。例えば、ネットワーク等を介して当該画像形成装置に接続された他の情報処理装置等、例えばＰＣから多数決処理を実行しない旨の指示を行うようにしてもよい。また、サービスマン等の画像形成装置のメンテナンス専門者のみが多数決処理を実行しない旨の指示を行うことができ、一般ユーザが容易にこれを行うことができないようにするような手段を設けてもよい。例えば、一般に開示されていない操作やコマンド等により多数決処理を実行しない旨の指示を行うようにしてもよいし、また、パスワード等を設けてもよい。
【００４８】
本実施形態においては、画像形成装置の立ち上げ時に使用する光量補正データの選出を行い、多数決処理を実行しない旨が設定された次回の画像形成装置の立ち上げに対してのみに当該設定が有効になるようにしたが、これは必ずしもこのようにする必要はない。多数決処理を実行しない旨を設定した後、所定の複数回の立ち上げまで当該設定を有効にするようにしてもよいし、その回数をユーザが設定できるようにしてもよい。また、多数決処理を実行する旨を設定できるようにして多数決処理を実行する旨が次回設定されるまで多数決処理を実行しない旨の設定を有効にするようにしてもよい。また、これらの設定を行ったときに装置を再立ち上げさせずにこれらの設定が有効になるようにしてもよい。また、一度設定した非実行設定を取り消すための操作等を設けてもよい。
【図面の簡単な説明】
【００４９】
【図１】本発明の一実施形態によるプリンタの機能構成を示すブロック図である。
【図２】本発明の一実施形態によるプロセス装置の構成を示すブロック図である。
【図３】本発明の一実施形態における多数決処理実行情報の例を示す図表である。
【図４】本発明の一実施形態における多数決処理を行わない旨の設定に係る処理の流れを示すフローチャートである。
【図５】本発明の一実施形態における補正データ選択処理の流れを示すフローチャートである。
【図６】本発明の一実施形態におけるプリント処理の流れを示すフローチャートである。
【符号の説明】
【００５０】
１  プリンタ（画像形成装置）
２  プロセス装置
２１１，２２１，２３１，２４１  ＬＥＤヘッドユニット（露光装置）
２１ａ，２２ａ，２３ａ，２４ａ  記憶媒体（第１の記憶手段）
２１ｂ，２１ｃ，２２ｂ，２２ｃ，２３ｂ，２３ｃ，２４ｂ，２４ｃ  記憶媒体（第２の記憶手段）
２１ｄ，２２ｄ，２３ｄ，２４ｄ  補正部（補正手段）
１１  制御部
１１１  プリント制御部
１１２  多数決処理部（多数決手段）
１１３  多数決処理非実行設定部
１１４  補正データ制御部（制御手段）
１２  補正データ記憶部
１３  画像メモリ
１４  通信部
１５  操作パネル（受付手段）
１６  ＨＤＤ
【図１】
2005212398.tif 000003
【図２】
2005212398.tif 000004
【図３】
2005212398.tif 000005
【図４】
2005212398.tif 000006
【図５】
2005212398.tif 000007
【図６】
2005212398.tif 000008